(57)【要約】【課題】デザインの変更が容易で、かつ収納の空間を占めることのない湯沸器のハウジングを提供する。【解決手段】前端縁部にアルミ押し型成形で第１側縁溝を縦方向に沿って一体に形成し、後端縁部にアルミ押し型で第２側縁溝を一体に形成してなり、対向した位置に設けられる２枚の側面板と、両端縁を該２枚の側面板の第１側縁溝に挿入する正面パネルと、両端縁を該２枚の側面板の第２側縁溝に挿入するベース板と、該２枚の側面板の上端に設ける蓋板と、該２枚の側面板の底端に設けて、該正面パネルと該ベース板とを該第１側縁溝と該第２側縁溝内に固定する底板とによって構成する。【選択図】  図２
0003121353.tif 000002
【実用新案登録請求の範囲】
【請求項１】
前端縁部にアルミ押し型成形で第１側縁溝を縦方向に沿って一体に形成し、後端縁部にアルミ押し型で第２側縁溝を一体に形成してなり、対向した位置に設けられる２枚の側面板と、
両端縁を該２枚の側面板の第１側縁溝に挿入する正面パネルと、
両端縁を該２枚の側面板の第２側縁溝に挿入するベース板と、
該２枚の側面板の上端に設ける蓋板と、
該２枚の側面板の底端に設けて、該正面パネルと該ベース板とを該第１側縁溝と該第２側縁溝内に固定する底板とを含むことを特徴とする湯沸器のハウジング。
【請求項２】
前記側面板の第１側縁溝と該第２側縁溝の間にアルミ押し出し成形で縦方向に突条部を一体に形成し、且つ該突条部の両端にネジ孔を形成するとともに、該蓋板の該突条部に形成するネジ孔に対応する位置にネジを挿通させる挿通孔を穿設してネジで該蓋板を固定し、該底板の該突条部に形成するネジ孔に対応する位置にネジを挿通させる挿通孔を穿設してネジで該底板を固定することを特徴とする請求項１に記載の湯沸器のハウジング。
【請求項３】
前記側面板の上、下端の第１側縁溝と第２側縁溝に隣接した位置にネジ孔をそれぞれ形成し、該蓋板と該底板四隅をネジで固定することを特徴とする請求項１、もしくは請求項２に記載の湯沸器のハウジング。
【請求項４】
前記正面パネルは、上下両端を該側面板の長さに揃えて形成することを特徴とする請求項１に記載の湯沸器のハウジング。
【請求項５】
前記正面パネルに窓を形成することを特徴とする請求項１に記載の湯沸器のハウジング。
【請求項６】
前記ベース板は、上下両端を該側面板の長さに揃えて形成することを特徴とする請求項１に記載の湯沸器のハウジング。
【請求項７】
前記蓋板の中央の位置に貫通孔を形成して排気口とすることを特徴とする請求項１に記載の湯沸器のハウジング。
【請求項８】
前記底板の中央の位置に貫通孔を形成して給気口とすることを特徴とする請求項１に記載の湯沸器のハウジング。
【考案の詳細な説明】
【技術分野】
【０００１】
この考案は、湯沸器に関し、特に湯沸器のハウジングに関する。
【背景技術】
【０００２】
従来の湯沸器のハウジングは、前部ハウジングと、湯沸器を設ける壁面に取り付けるベース板とを含む。該前部ハウジングは正面パネルと、該正面パネルの四辺からそれぞれ背面に向かって延伸する側壁とを具え、背面を開口面とする。該ベース板には湯沸器を構成する部品が設けられ、該前部ハウジングを背面からベース板に被せてボルトなどで固定して、湯沸器の機械部分を保護するという目的を達成する。
【０００３】
台湾実用新案登録第３２６２６２号には湯沸器のハウジングの改良構造を提供するものであって、前部ハウジングの背面側の上部両端にそれぞれプレスで孔部を穿設し、ベース板には該前部ハウジングの孔部に対応する位置にプレスでそれぞれ凸縁を形成し、かつ該凸縁上方の正面側に傾斜した端縁部を形成してなる。該傾斜した端縁部の作用によって該前部ハウジングの孔部と該凸縁との位置を合わせて、前部ハウジングをベース板に嵌着する操作が容易になる。したがって、短時間で組み立てを行うことができる。
【０００４】
上述する二種類のハウジングは、金型で一体にプレス成形して得られた前部ハウジングをベース板に取り付ける。前部ハウジングは湯沸器の外観にとって重要なポイントとなる。しかしながら、前部ハウジングの形態は固定的であって変化させることができない。新規なデザインに変更しようとするなら新たに金型を作成しなければならない。金型の作成費用は決して安くはなく、新たに金型を作成することは経済的といえない。但し、モデルチェンジする場合、それまでの前部ハウジングのデザインを援用すると、湯沸器の全体的な外観のデザインが制限を受けるのみならず、異なる機種であることの見分けがつきにくくなる。さらに、従来の前部ハウジングは、製造、運搬、収納などに空間閉める。そのための空間を得るために、余剰の空間を設けることはコストの増加につながる。
【考案の開示】
【考案が解決しようとする課題】
【０００５】
この考案は、デザインの変更が容易で、かつ収納の空間を占めることのない湯沸器のハウジングを提供することを課題とする。
【課題を解決するための手段】
【０００６】
そこで、本考案者は従来の技術に見られる欠点に鑑みて鋭意研究を重ねた結果、前端縁部にアルミ押し型成形で第１側縁溝を縦方向に沿って一体に形成し、後端縁部にアルミ押し型で第２側縁溝を一体に形成してなり、対向した位置に設けられる２枚の側面板と、両端縁を該２枚の側面板の第１側縁溝に挿入する正面パネルと、
両端縁を該２枚の側面板の第２側縁溝に挿入するベース板と、該２枚の側面板の上端に設ける蓋板と、該２枚の側面板の底端に設けて、該正面パネルと該ベース板とを該第１側縁溝と該第２側縁溝内に固定する底板とを含んでなる湯沸器のハウジングの構造によって、この考案の課題を解決できる点に着眼し、この考案を完成させた。
【０００７】
以下、この考案について具体的に説明する。
請求項１に記載する湯沸器のハウジングは、前端縁部にアルミ押し型成形で第１側縁溝を縦方向に沿って一体に形成し、後端縁部にアルミ押し型で第２側縁溝を一体に形成してなり、対向した位置に設けられる２枚の側面板と、
両端縁を該２枚の側面板の第１側縁溝に挿入する正面パネルと、
両端縁を該２枚の側面板の第２側縁溝に挿入するベース板と、
該２枚の側面板の上端に設ける蓋板と、
該２枚の側面板の底端に設けて、該正面パネルと該ベース板とを該第１側縁溝と該第２側縁溝内に固定する底板とを含む。
【０００８】
請求項２に記載するハウジングは、請求項１における側面板の第１側縁溝と該第２側縁溝の間にアルミ押し出し成形で縦方向に突条部を一体に形成し、且つ該突条部の両端にネジ孔を形成するとともに、該蓋板の該突条部に形成するネジ孔に対応する位置にネジを挿通させる挿通孔を穿設してネジで該蓋板を固定し、該底板の該突条部に形成するネジ孔に対応する位置にネジを挿通させる挿通孔を穿設してネジで該底板を固定する。
【０００９】
請求項３に記載する湯沸器のハウジングは、請求項１、もしくは請求項２における側面板の上、下端の第１側縁溝と第２側縁溝に隣接した位置にネジ孔をそれぞれ形成し、該蓋板と該底板四隅をネジで固定する。
【００１０】
請求項４に記載する湯沸のハウジングは、請求項１における正面パネルが上下両端を該側面板の長さに揃えて形成される
【００１１】
請求項５に記載する湯沸器のハウジングは、請求項１における正面パネルに窓を形成する。
【００１２】
請求項６に記載する湯沸器のハウジングは、請求項１におけるベース板が、上下両端を該側面板の長さに揃えて形成される。
【００１３】
請求項７に記載する湯沸器のハウジングは、請求項１における記蓋板の中央の位置に貫通孔を形成して排気口とする。
【００１４】
請求項８に記載する湯沸器のハウジングは、請求項１における底板の中央の位置に貫通孔を形成して給気口とする。
【考案の効果】
【００１５】
本考案による湯沸器のハウジングは、デザインの変更が容易で、かつ収納の空間を占めることがないため、製造のみならず、運送、収納などに係るコストを節減できるという利点がある。
【考案を実施するための最良の形態】
【００１６】
この考案は、湯沸器のハウジングを提供するものであって、前端縁部にアルミ押し型成形で第１側縁溝を縦方向に沿って一体に形成し、後端縁部にアルミ押し型で第２側縁溝を一体に形成してなり、対向した位置に設けられる２枚の側面板と、両端縁を該２枚の側面板の第１側縁溝に挿入する正面パネルと、両端縁を該２枚の側面板の第２側縁溝に挿入するベース板と、該２枚の側面板の上端に設ける蓋板と、該２枚の側面板の底端に設けて、該正面パネルと該ベース板とを該第１側縁溝と該第２側縁溝内に固定する底板とによって構成し、デザインの変更が容易で、かつ収納の空間を縮小するという目的を、実現した。
係る構成の湯沸器のハウジングについて、その構造と特徴を詳述するために具体的な実施例を挙げ、以下に説明する。
【実施例】
【００１７】
図１、２に開示するように、この考案による湯沸器のハウジングは、矩形を呈し、対向した位置に設けられる２枚の側面板１０と、正面パネル２０と、ベース板３０と、蓋板４０と、底板５０とを含んでなる。
【００１８】
側面板１０は、前端縁部にアルミ押し型成形で第１側縁溝１１を縦方向に沿って一体に形成し、後端縁部にアルミ押し型で第２側縁溝１２を一体に形成するとともに、第１側縁溝１１と第２側縁溝１２との間にアルミ押し出し成形で縦方向に突条部１３を一体に形成し、且つ突条部１３の両端にネジ孔１４を形成する。
【００１９】
正面パネル２０は、両端縁を第１側縁溝１１に挿入できるように厚さを第１側縁溝１１と略同様にする。また、正面パネル２０の上下両端は側面板の長さに揃える。さらに、正面パネル２０には中央の位置に窓２１を形成する。    
【００２０】
ベース板３０は、両端縁を第２側縁溝１２に挿入できるように厚さを第２側縁溝１２と略同様にする。また、ベース板３０の上下両端は側面板の長さに揃える。
【００２１】
蓋板４０は、側面板１０、正面パネル２０、ベース板３０の上端に合わさるように形成し、中央の位置に貫通孔を形成して排気口４１とする。また、側面板１０の突条部１３の一方のネジ孔１４に対応する位置に挿通孔４２を穿設してネジ４３を挿通させ、蓋板４０を固定する。
【００２２】
底板５０は、側面板１０、正面パネル２０、ベース板３０の底端に合わさるように形成し、中央の位置に貫通孔を形成して給気口５１とする。また、側面板１０の突条部１３の一方のネジ孔１４に対応する位置に挿通孔５２を穿設してネジ５３を挿通させ、底板５０を固定する。
【００２３】
上述から明らかなように、正面パネル２０とベース板３０を第１側縁溝１１と第２側縁溝１２とにそれぞれ挿入し、上端と底端とにそれぞれ蓋板４０と底板５０をネジで固定して蓋板４０、底板５０、正面パネル２０、ベース板５０とを組み立てる。よって、この考案によれば蓋板４０と底板３０を固定するネジを取り外すことによって側面板１０とベース板３０とを取り外すことができる。また、側面板１０、正面パネル２０、ベース板３０、蓋板４０、底板５０は、それぞれ別々に製造することができる。したがって、従来の技術に見られるように、単一の金型で前部ハウジングを製造する必要がなく、技術的に大きく革新するものである。
【００２４】
図３に開示するように、側面板１０の突条部１３を設けなくても前部ハウジングを構成することができる。側面板１０の突条部１３を設けな場合は、第１側縁溝１１と第２側縁溝１２に隣接した位置にネジ孔１４を形成し、蓋板４０と底板５０の四隅をネジで固定する。
【００２５】
また、図４に開示するように、側面板１０に突条部１３を形成し、突条部１３の両端にネジ孔１４を形成するとともに、第１側縁溝１１と第２側縁溝１２に隣接した位置にもネジ孔１４を形成することによって、蓋板４０と底板５０とを側面板５０の両端に安定して固定することができる。
【００２６】
また、図５に開示するように、側面板１０を円弧状に湾曲させてもよい。これに合せ蓋板４０、底板５０の形状も変化させ、上述と同様に蓋板４０と底板５０とを突条部１３の両端に形成したネジ孔１４とネジとを利用して固定する。側面板１０と、蓋板４０、底板５０の形状を変化させることによって、湯沸器の外観を大きく変化させ、機種の違いが容易に識別できるようになる。
【００２７】
図６に開示するように、円弧状に形成した側面板１０に突条部１３を設けなく、第１側縁溝１１と第２側縁溝１２に隣接した位置にネジ孔１４を形成し、蓋板４０と底板５０の四隅をネジで固定するようにしてもよい。
【００２８】
また、図７に開示するように、円弧状に形成した側面板１０に突条部１３を形成し、突条部１３の両端にネジ孔１４を形成するとともに、第１側縁溝１１と第２側縁溝１２に隣接した位置にもネジ孔１４を形成することによって、蓋板４０と底板５０とを側面板５０の両端に安定して固定することができる。
【００２９】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００３０】
【図１】この考案による湯沸器のハウジングの外観を示した斜視図である。
【図２】図１に開示するハウジングの分解図である。
【図３】他の実施形態による湯沸器のハウジングの分解図である。
【図４】図３に開示する実施形態をさらに変化させたハウジングの分解図である。
【図５】他の実施形態による湯沸器のハウジングの分解図である。
【図６】図５に開示する実施形態を変化させたハウジングの分解図である。
【図７】図５に開示する実施形態をさらに変化させたハウジングの分解図である。
【符号の説明】
【００３１】
１０          側面板
１１          第１側縁溝
１２          第２側縁溝
１３          突条部
１４          ネジ孔
２０          正面パネル
２１          窓
３０          ベース板
４０          蓋板
４１          排気口
４２          挿通孔
４３          ネジ孔
５０          底板
５１          給気口
５２          挿通口
５３          ネジ
【図１】
0003121353.tif 000003
【図２】
0003121353.tif 000004
【図３】
0003121353.tif 000005
【図４】
0003121353.tif 000006
【図５】
0003121353.tif 000007
【図６】
0003121353.tif 000008
【図７】
0003121353.tif 000009